(57)【要約】【課題】光ディスク上でポストレコーディング機能を比較的低速なシークタイムを有する安価なディスクドライブでも容易に実現可能な音声／映像情報記録再生装置を提供する。【解決手段】映像ファイルを記録する場合に、映像ファイルをシーク時間の３倍強に関係する時間だけ連続して光ディスクに記録する。次に、吹き替え音声を記録する場合に、吹き替え音声を一定データサイズだけ続けて記録することと並行して、記録された映像ファイルを再生することで、実時間連続再生と記録を同時に実施する。これにより、吹き替え音声を再生する場合に、映像ファイルと音声ファイルの同時再生が保証できる。【選択図】  図１
2004192661.tif 000002
【特許請求の範囲】
【請求項１】
映像情報を記録媒体に映像ファイルとして記録する映像記録部と、音声情報を前記記録媒体に音声ファイルとして記録する音声記録部と、前記記録媒体に記録された前記映像情報を実時間連続再生する映像再生部と、前記映像情報を再生し、同時に前記映像情報に関連した前記音声情報を記録するポストレコーディング用記録部とを有する音声／映像情報記録再生装置であって、
前記映像記録部は、
読み書きヘッドの最大移動時間の３倍の時間と、ひとつの音声用連続データ領域を読み込む時間との合計の時間分の映像情報を余分に確保するのに要する時間以上の間、映像情報の記録が可能な物理的に連続する複数の記録単位からなる映像用連続データ領域を検出する映像用連続データ領域検出部と、
前記映像情報を記録すべき前記映像用連続データ領域の記録単位番号を指示する映像記録制御部とを含み、
前記音声記録部は、
音声情報の記録が可能な物理的に連続する複数の前記記録単位からなり、かつデータサイズが所定の範囲となるような前記音声用連続データ領域を検出する音声用連続データ領域検出部と、
複数の前記音声用連続データ領域上に前記音声情報を連続的に記録する音声記録制御部とを含み、
前記映像記録部が前記映像情報を記録し、
前記ポストレコーディング用記録部が、前記映像用連続データ領域に記録された前記映像情報の再生と前記音声用連続データ領域への前記音声情報の記録とを交互に実施しながら、前記映像情報の実時間連続再生と前記音声情報の記録とを同時に実施することを特徴とする音声／映像情報記録再生装置。
【請求項２】
前記ポストレコーディング記録部はさらに、前記音声用連続データ領域の境界を示す境界情報を前記音声情報と共に記録することを特徴とする請求項１記載の音声／映像情報記録再生装置。
【請求項３】
映像情報を記録媒体に映像ファイルとして記録する映像記録部と、音声情報を前記記録媒体に音声ファイルとして記録する音声記録部と、前記記録媒体に記録された前記映像情報を実時間連続再生する映像再生部と、前記記録媒体に記録された前記音声情報を実時間連続再生する音声再生部と、前記映像情報を再生し、同時に前記映像情報に関連した前記音声情報を再生するポストレコーディング用再生部とを有する音声／映像情報記録再生装置であって、
前記映像記録部は、
読み書きヘッドの最大移動時間の３倍の時間と、ひとつの音声用連続データ領域を読み込む時間との合計の時間分の映像情報を余分に確保するのに要する時間以上の間、映像情報の記録が可能な物理的に連続する複数の記録単位からなる映像用連続データ領域を検出する映像用連続データ領域検出部と、
前記映像情報を記録すべき前記映像用連続データ領域の記録単位番号を指示する映像記録制御部とを含み、
前記音声記録部は、
音声情報の記録が可能な物理的に連続する複数の前記記録単位からなり、かつデータサイズが所定の範囲となるような前記音声用連続データ領域を検出する音声用連続データ領域検出部と、
複数の前記音声用連続データ領域上に前記音声情報を連続的に記録する音声記録制御部とを含み、
前記映像記録部が前記映像情報を記録し、
前記音声記録部が前記映像情報に関連のある前記音声情報を記録し、
前記ポストレコーディング用再生部が、前記映像用連続データ領域に記録された前記映像情報と前記音声用連続データ領域に記録された前記音声情報を交互に読み出しながら、映像と音声とを同時に実時間連続再生することを特徴とする音声／映像情報記録再生装置。
【請求項４】
前記音声記録部はさらに、前記音声用連続データ領域の境界を示す境界情報を前記音声情報と共に記録し、
前記ポストレコーディング用再生部はさらに、前記音声用連続データ領域に記録された前記音声情報を読み出す際に、前記境界情報を参照することを特徴とする請求項３記載の音声／映像情報記録再生装置。
【請求項５】
映像情報を記録媒体に映像ファイルとして記録し、前記記録媒体に記録された前記映像情報を実時間連続再生すると同時に、前記映像情報に関連した音声情報を前記記録媒体に音声ファイルとして記録する音声／映像情報記録再生方法であって、
読み書きヘッドの最大移動時間の３倍の時間と、ひとつの音声用連続データ領域を読み込む時間との合計の時間分の映像情報を余分に確保するのに要する時間以上の間、映像情報の記録が可能な物理的に連続する複数の記録単位からなる映像用連続データ領域を検出する工程と、
前記映像情報を記録すべき前記映像用連続データ領域の記録単位番号を指示する工程と、
音声情報の記録が可能な物理的に連続する複数の記録単位からなり、かつデータサイズが所定の範囲となるような前記音声用連続データ領域を検出する工程と、
複数の前記音声用連続データ領域上に前記音声情報を連続的に記録する工程とを含み、
前記映像用連続データ領域に記録された前記映像情報の再生と前記音声用連続データ領域への前記音声情報の記録とを交互に実施しながら、前記映像情報の実時間連続再生と前記音声情報の記録とを同時に実施することを特徴とする音声／映像情報記録再生方法。
【請求項６】
前記音声／映像情報記録再生方法はさらに、
前記音声用連続データ領域の境界を示す境界情報を前記音声情報と共に記録する工程を含むことを特徴とする請求項５記載の音声／映像情報記録再生装置。
【請求項７】
映像情報を記録媒体に映像ファイルとして記録し、音声情報を前記記録媒体に音声ファイルとして記録し、前記記録媒体に記録された前記映像情報と前記音声情報とを同時に実時間連続再生する音声／映像情報記録再生方法であって、
読み書きヘッドの最大移動時間の３倍の時間と、ひとつの音声用連続データ領域を読み込む時間との合計の時間分の映像情報を余分に確保するのに要する時間以上の間、映像情報の記録が可能な物理的に連続する複数の記録単位からなる映像用連続データ領域を検出する工程と、
前記映像情報を記録すべき前記映像用連続データ領域の記録単位番号を指示する工程と、
前記音声情報の記録が可能な物理的に連続する複数の前記記録単位からなり、かつデータサイズが所定の範囲となるような前記音声用連続データ領域を検出する工程と、
複数の前記音声用連続データ領域上に前記音声情報を連続的に記録する工程とを含み、
前記映像用連続データ領域に記録された前記映像情報と前記音声用連続データ領域に記録された前記音声情報を交互に読み出しながら、映像と音声とを同時に実時間連続再生することを特徴とする音声／映像情報記録再生方法。
【請求項８】
前記音声／映像情報記録再生方法はさらに、
前記音声用連続データ領域の境界を示す境界情報を前記音声情報と共に記録する工程と、
前記境界情報を参照して、前記音声用連続データ領域に記録された前記音声情報を読み出す工程とを含むことを特徴とする請求項７記載の音声／映像情報記録再生方法。
【発明の詳細な説明】
【０００１】
【発明の属する技術分野】
本発明は、映像信号及び音声信号を圧縮して光ディスク等の記録媒体へ記録する音声／映像情報記録再生装置および方法に関する。
【０００２】
【従来の技術】
映像を低いビットレートで圧縮する方法として、ＭＰＥＧ２規格（ＩＳＯ／ＩＥＣ  １３８１８−１）で規定されているシステムストリームがある。このシステムストリームとしては、プログラムストリーム、トランスポートストリーム及びＰＥＳストリームの３種類が規定されている。
【０００３】
一方、磁気テープに代わる記録媒体としては、相変化光ディスク（例えば、ＤＶＤ−ＲＡＭやＭＶＤＩＳＣ）や光磁気ディスク（ＭＯ）等の光ディスクが注目を浴びてきている。例えば、ＤＶＤ−ＲＡＭ上に映像を記録するための規格として、ＶＩＤＥＯ  ＲＥＣＯＲＤＩＮＧ規格（ＤＶＤ  Ｓｐｅｃｉｆｉｃａｔｉｏｎｓ  ｆｏｒ  Ｒｅｗｒｉｔａｂｌｅ／Ｒｅ−ｒｅｃｏｒｄａｂｌｅ  Ｄｉｓｃｓ  Ｐａｒｔ  ３  ＶＩＤＥＯ  ＲＥＣＯＲＤＩＮＧ  Ｖｅｒｓｉｏｎ  １．０  Ｓｅｐｔｅｍｂｅｒ  １９９９）がある。この規格は、ＤＶＤ−ＲＡＭディスクに対して、ＭＰＥＧ２規格のプログラムストリームから成る映像ファイルを記録再生するためのものである。以下では、相変化光ディスク（以下、混乱の無い限り、単に「光ディスク」と呼ぶ）に対して、ＭＰＥＧ２のトランスポートストリームから成る映像ファイルを記録再生する場合に置き換えて説明することにより、ＶＩＤＥＯ  ＲＥＣＯＲＤＩＮＧ規格の技術内容を含んだ形で従来の技術内容を説明する。また、映像はＩＳＯ／ＩＥＣ  １３８１８−１のＭＰＥＧ２圧縮とし、音声を圧縮処理する場合はＩＳＯ／ＩＥＣ  １３８１８−７のＭＥＰＧ２−ＡＡＣ（Ａｄｖａｎｃｅｄ  Ａｕｄｉｏ  Ｃｏｒｄｉｎｇ）圧縮するものとする。
【０００４】
図１６に、従来の相変化光ディスクを使った音声／映像情報記録再生装置の構成図を示す。映像信号および音声信号の記録時は、映像信号入力部１００及び音声信号入力部１０２から入力した信号を各々映像圧縮部１０１及び音声圧縮部１０３で圧縮し、次にトランスポートストリーム組立部１０４においてポストレコーディング用ダミーパケット発生部１０５が生成するダミーパケットを圧縮結果に混合してトランスポートストリームを作成し、それをバッファメモリ１５４、記録部１２０及びピックアップ１３０を経由して相変化光ディスク１３１へ書き込む。
【０００５】
映像信号および音声信号の再生時は、ピックアップ１３０、再生部１２１およびバッファメモリ１５４を経由して取り出したトランスポートストリームをトランスポートストリーム分解部１１５で映像信号と音声信号に分離し、各々映像伸長部１１１及び第１音声伸長部１１３を介して、映像表示部１１０及び音声出力部１１２へ出力する。また、第２音声伸長部１１４は、トランスポートストリーム内に裏音声（後述）が記録された場合に、この裏音声の再生に用いるものである。
【０００６】
映像信号および音声信号の記録時には、記録制御部１５１が、記録部１２０、連続データ領域検出部１５０および論理ブロック管理部１４１の制御を行ない、記録を実施する。このとき、連続データ領域検出部１５０は、記録制御部１５１の指示に応じて、論理ブロック管理部１４１で管理されるセクタの使用状況を調べて、物理的に連続する空き領域を検出する。
【０００７】
映像信号および音声信号の再生時には、再生制御部１４０が、再生部１２１および記録部１２０の制御を行ない、再生を実施する。また、ポストレコーディング用記録制御部１５２およびポストレコーディング用再生制御部１５３は後述するポストレコーディング時に起動される。
【０００８】
なお、以下では「映像信号および音声信号の記録」を「動画信号の記録」と呼ぶことにする。また同様に「映像および音声の記録」を「動画の記録」と呼ぶことにする。
【０００９】
また、図１７は、相変化光ディスク１３１にリアルタイムで映像記録する場合の記録フォーマットを示す。相変化光ディスク１３１は２ｋバイトのセクタから構成され、１６個のセクタを１つの論理ブロック（３２ｋバイト）として取り扱い、この論理ブロックごとに誤り訂正符号を付与して相変化光ディスク１３１へ記録する。さらに、最大記録再生レート換算で特定時間（例えば、後述の様に、０．８６秒）以上の物理的に連続する論理ブロックを１つの連続データ領域として確保し、この領域へ、０．４〜１秒分の再生時間（表示時間）のＭＰＥＧトランスポートストリームからなる、ビデオ・オブジェクト・ユニット（Ｖｉｄｅｏ  Ｏｂｊｅｃｔ  Ｕｎｉｔ：以下、「ＶＯＢＵ」という）を順に記録する。なお、ひとつのＶＯＢＵは、原則的にすべて単独で復号可能な映像および音声圧縮データを含むものとする。すなわち、映像および音声圧縮データは１ＶＯＢＵ内で完結しているものとする。
【００１０】
１つのＶＯＢＵは、１８８バイト単位のＭＰＥＧトランスポートストリームの下位階層であるトランスポートパケットから構成される。トランスポートパケットは、ビデオ圧縮データが格納されたビデオトランスポートパケット（Ｖ＿ＴＳＰ）と、オーディオ圧縮データが格納されたオーディオトランスポートパケット（Ａ＿ＴＳＰ）と、ダミーオーディオトランスポートパケット（Ｄ＿ＴＳＰ）の３種類から構成される。また、１つのＶＯＢＵには、対応する時間のＶ＿ＴＳＰ、Ａ＿ＴＳＰおよびＤ＿ＴＳＰが全て含まれる。また、１つのＶＯＢＵのデータサイズは、映像が可変ビットレートであれば、最大記録再生レート以下の範囲で変動する。一方、映像が固定ビットレートであれば、ＶＯＢＵのデータサイズはほぼ一定である。
【００１１】
図１８は、Ｖ＿ＴＳＰ、Ａ＿ＴＳＰおよびＤ＿ＴＳＰの詳細を示す図である。Ｖ＿ＴＳＰは、トランスポートパケットヘッダとビデオデータから構成され、Ａ＿ＴＳＰは、トランスポートパケットヘッダとオーディオデータから構成され、Ｄ＿ＴＳＰは、トランスポートパケットヘッダと裏音声用ダミーデータから構成される。Ｖ＿ＴＳＰ、Ａ＿ＴＳＰ、Ｄ＿ＴＳＰ間の違いは、トランスポートパケットヘッダ内のＰＩＤ（Ｐａｃｋｅｔ  ＩＤ）で識別される。例えば、図の様に、Ｖ＿ＴＳＰにはＰＩＤ＝“０ｘ００２０”、Ａ＿ＴＳＰにはＰＩＤ＝“０ｘ００２１”、Ｄ＿ＴＳＰにはＰＩＤ＝“０ｘ００２２”を割り付けることにより、それぞれ識別される。
【００１２】
図１６に示す音声／映像情報記録再生装置の連続データ領域検出部１５０は、１つの連続データ領域の残りが少なくなった時点で、次の連続データ領域の再検出を行なう。そして、１つの連続データ領域が一杯になると、次の連続データ領域に書き込みを行なう。
【００１３】
また、図１９は、光ディスク上の記録内容がＵＤＦ（Ｕｎｉｖｅｒｓａｌ  Ｄｉｓｋ  Ｆｏｒｍａｔ）ファイルシステムによって管理されている状態を示す。ここでは、記録開始ボタンのオンとオフの各１回の操作により、１つのＭＰＥＧトランスポートストリームがファイル「ＭＯＶＩＥ．ＭＰＧ」として記録される場合を示す。ファイルは、ファイル名及びファイル・エントリの位置が、ＦＩＤ（Ｆｉｌｅ  Ｉｄｅｎｔｉｆｉｅｒ  Ｄｅｓｃｒｉｐｔｏｒ）で管理される。さらに、ファイル・エントリ内のアロケーション・ディスクリプタ（Ａｌｌｏｃａｔｉｏｎ  Ｄｅｓｃｒｉｐｔｏｒ）を使って、１つのファイルとそのファイルを構成する３つの連続データ領域ａ、ｂ、ｃを管理する。連続データ領域が３つに分れる経緯を次に示す。なお、各アロケーション・ディスクリプタの構造は、図２０に示すように、エクステント長（Ｅｘｔｅｎｔ  Ｌｅｎｇｔｈ）とエクステント位置（Ｅｘｔｅｎｔ  Ｐｏｓｉｔｉｏｎ）とから成る。
【００１４】
記録制御部１５１は、連続データ領域ａへの記録中に不良論理ブロックを見つけると、その不良論理ブロックをスキップして、連続データ領域ｂの先頭から書き込みを継続する。さらに、記録制御部１５１は、連続データ領域ｂへの記録中にＰＣファイルの記録領域とぶつかりそうになると、今度は連続データ領域ｃの先頭から書き込みを継続する。この結果、ファイル「ＭＯＶＩＥ．ＭＰＧ」は３つの連続データ領域ａ、ｂ、ｃから構成されることになる。
【００１５】
図２１は、ファイルの再生時の動作概要を示す。再生時は、再生制御部１４０が、光ディスク１３１からバッファメモリ１５４へのデータの読み込み動作と、バッファメモリ１５４からトランスポートストリーム分解部１１５へのデータ移動によるデータの再生動作を同時に実施する。このとき、データの再生速度Ｖｏよりもデータの読出速度Ｖｒの方が高速となるように設定し、再生すべきデータがバッファメモリ１５４内に無いこと（アンダーフロー）が起きないように制御を行う。従って、連続したデータ読み込み及び連続したデータ再生を続けると、データ再生速度Ｖｏとデータ読出速度Ｖｒとの速度差分だけ、再生すべきデータを余分に確保できることになる。かかる余分に確保できるデータを、ピックアップ１３０のジャンプによりデータ読み込みが途絶える間の再生データとして使うことにより、連続再生を実現することができる。
【００１６】
具体的には、データ読出速度Ｖｒが２４Ｍｂｐｓ、データ再生速度Ｖｏが１０Ｍｂｐｓ、ピックアップ１３０の最大移動時間が０．５秒の場合、ピックアップ移動中に５Ｍビットの余分な再生データが必要になる。かかる余分な再生データを確保するためには、０．３６秒間の連続読み込みが必要になる。すなわち、５Ｍビットをデータ読出速度２４Ｍｂｐｓとデータ再生速度１０Ｍｂｐｓの差で割った時間だけ連続読み込みする必要がある。
【００１７】
ここで、０．３６秒間の連続読み込みの間に８．６Ｍビット分、すなわち１０Ｍｂｐｓの再生速度換算で０．８６秒分の再生データを読み出すことになる。したがって、最大１０Ｍｂｐｓの動画を０．８６秒分以上の連続データ領域を確保して記録することで、連続データ再生を保証することが可能となる。
【００１８】
なお、ピックアップ１３０の最大移動時間はディスクの最内周と最外周間の移動時間を指す。また、この時間に、回転待ち時間も含まれるものとする。
【００１９】
なお、連続データ領域の途中には、数個の不良論理ブロックがあっても良い。ただし、この場合には、再生時にかかる不良論理ブロックを読み込むのに必要な読み込み時間を見越して、連続データ領域を０．８６秒分よりも少し多めに確保する必要が有る。
【００２０】
また、民生用ムービーに通常備わっている機能の一つにポストレコーディングがある。ポストレコーディングは、一度記録した映像の音声（以下、表音声という）を新規録音した音声（以下、裏音声という）に吹き替える機能である。
【００２１】
ポストレコーディングは、一般に次の３つのステップから構成される。第１ステップとして、まず映像をポストレコーディング可能な記録モードで記録する（以下、「ポストレコーディングモード記録」と呼ぶ）。第２ステップとして、記録した映像を見ながら、その映像に同期した裏音声を記録する（以下、「ポストレコーディング記録」と呼ぶ）。第３ステップとして、第２ステップの映像と裏音声を同期させて再生する（以下、「ポストレコーディング再生」と呼ぶ）。これらのステップで、吹き替えが実現する。
【００２２】
ここで、第１ステップでは、ポストレコーディング用記録制御部１５２が、Ｖ＿ＴＳＰ、Ａ＿ＴＳＰおよびＤ＿ＴＳＰを含むＭＰＥＧトランスポートストリームを記録する（例えば、特許文献１参照）。第２ステップでは、ポストレコーディング用記録制御部１５２が、Ｄ＿ＴＳＰを裏音声用Ａ＿ＴＳＰに置き換えて光ディスク１３１へ記録する。第３ステップでは、ポストレコーディング用再生制御部１５３が、表音声用Ａ＿ＴＳＰ、裏音声用Ａ＿ＴＳＰおよびＶ＿ＴＳＰをトランスポートストリーム分解部１１５へ渡す様に制御して吹き替えを実現する。
【００２３】
なお、以下では、ポストレコーディングモード記録時に記録する映像と音声を含むファイルを動画ファイル呼ぶ。
【００２４】
また、ポストレコーディングの必要が無い場合は、Ｄ＿ＴＳＰを含めないで、Ａ＿ＴＳＰとＶ＿ＴＳＰから構成される動画ファイルを記録する。
【００２５】
また、ポストレコーディングモード記録された動画ファイルを再生制御部１４０が再生する場合は、Ｄ＿ＴＳＰをトランスポートストリーム分解部１１５へ渡さないで、Ａ＿ＴＳＰとＶ＿ＴＳＰを渡す。
【００２６】
【特許文献１】
国際公開第０１／０４８９３号パンフレット  （第１１図）
【００２７】
【発明が解決しようとする課題】
ポストレコーディング記録時に、映像を見ながら裏音声を記録する場合、映像の再生処理と同時に、裏音声を含んだ映像の再記録処理が必要となる。具体的には、ポストレコーディング用再生制御部１５３が再生するストリームをバッファ上に保存しておき、そのストリーム内のＤ＿ＴＳＰを裏音声用Ａ＿ＴＳＰに置き換えて、再度ディスク上へ書き戻すことになる。すなわち、映像の記録レートでの連続再生と同じレートでの連続記録を同時に実施する必要がある。この同時記録再生処理を実現するには、高い転送レートと高速なシークタイムを実現する必要があり、高価なディスクドライブが必要であった。
【００２８】
そこで、本発明は、上記問題点を解消すべく、光ディスク上でポストレコーディング機能を比較的低速なシークタイムを有する安価なディスクドライブでも容易に実現できると同時に、音声ファイルの結合や分割等の編集を容易に実現できる音声／映像情報記録再生装置および方法を提供することを目的とする。
【００２９】
【課題を解決するための手段】
前記の目的を達成するため、本発明に係る第１の音声／映像記録再生装置は、映像情報を記録媒体に映像ファイルとして記録する映像記録部と、音声情報を記録媒体に音声ファイルとして記録する音声記録部と、記録媒体に記録された映像情報を実時間連続再生する映像再生部と、映像情報を再生し、同時に映像情報に関連した音声情報を記録するポストレコーディング用記録部とを有する音声／映像情報記録再生装置であって、映像記録部は、読み書きヘッドの最大移動時間の３倍の時間と、ひとつの音声用連続データ領域を読み込む時間との合計の時間分の映像情報を余分に確保するのに要する時間以上の間、映像情報の記録が可能な物理的に連続する複数の記録単位からなる映像用連続データ領域を検出する映像用連続データ領域検出部と、映像情報を記録すべき映像用連続データ領域の記録単位番号を指示する映像記録制御部とを含み、音声記録部は、音声情報の記録が可能な物理的に連続する複数の記録単位からなり、かつデータサイズが所定の範囲となるような音声用連続データ領域を検出する音声用連続データ領域検出部と、複数の音声用連続データ領域上に音声情報を連続的に記録する音声記録制御部とを含み、映像記録部が映像情報を記録し、ポストレコーディング用記録部が、映像用連続データ領域に記録された映像情報の再生と音声用連続データ領域への音声情報の記録とを交互に実施しながら、映像情報の実時間連続再生と音声情報の記録とを同時に実施することを特徴とする。
【００３０】
第１の音声／映像情報記録再生装置において、ポストレコーディング記録部はさらに、音声用連続データ領域の境界を示す境界情報を音声情報と共に記録することが好ましい。
【００３１】
前記の目的を達成するため、本発明に係る第２の音声／映像記録再生装置は、映像情報を記録媒体に映像ファイルとして記録する映像記録部と、音声情報を記録媒体に音声ファイルとして記録する音声記録部と、記録媒体に記録された映像情報を実時間連続再生する映像再生部と、記録媒体に記録された音声情報を実時間連続再生する音声再生部と、映像情報を再生し、同時に前記映像情報に関連した音声情報を再生するポストレコーディング用再生部とを有する音声／映像情報記録再生装置であって、映像記録部は、読み書きヘッドの最大移動時間の３倍の時間と、ひとつの音声用連続データ領域を読み込む時間との合計の時間分の映像情報を余分に確保するのに要する時間以上の間、映像情報の記録が可能な物理的に連続する複数の記録単位からなる映像用連続データ領域を検出する映像用連続データ領域検出部と、映像情報を記録すべき映像用連続データ領域の記録単位番号を指示する映像記録制御部とを含み、音声記録部は、音声情報の記録が可能な物理的に連続する複数の記録単位からなり、かつデータサイズが所定の範囲となるような音声用連続データ領域を検出する音声用連続データ領域検出部と、複数の音声用連続データ領域上に音声情報を連続的に記録する音声記録制御部とを含み、映像記録部が映像情報を記録し、音声記録部が映像情報に関連のある音声情報を記録し、ポストレコーディング用再生部が、映像用連続データ領域に記録された映像情報と音声用連続データ領域に記録された音声情報を交互に読み出しながら、映像と音声とを同時に実時間連続再生することを特徴とする。
【００３２】
第２の音声／映像情報記録再生装置において、音声記録部はさらに、音声用連続データ領域の境界を示す境界情報を音声情報と共に記録し、ポストレコーディング用再生部はさらに、音声用連続データ領域に記録された音声情報を読み出す際に、境界情報を参照することが好ましい。
【００３３】
前記の目的を達成するため、本発明に係る第１の音声／映像記録再生方法は、映像情報を記録媒体に映像ファイルとして記録し、記録媒体に記録された映像情報を実時間連続再生すると同時に、映像情報に関連した音声情報を記録媒体に音声ファイルとして記録する音声／映像情報記録再生方法であって、読み書きヘッドの最大移動時間の３倍の時間と、ひとつの音声用連続データ領域を読み込む時間との合計の時間分の映像情報を余分に確保するのに要する時間以上の間、映像情報の記録が可能な物理的に連続する複数の記録単位からなる映像用連続データ領域を検出する工程と、映像情報を記録すべき映像用連続データ領域の記録単位番号を指示する工程と、音声情報の記録が可能な物理的に連続する複数の記録単位からなり、かつデータサイズが所定の範囲となるような音声用連続データ領域を検出する工程と、複数の音声用連続データ領域上に音声情報を連続的に記録する工程とを含み、映像用連続データ領域に記録された映像情報の再生と音声用連続データ領域への音声情報の記録とを交互に実施しながら、映像情報の実時間連続再生と音声情報の記録とを同時に実施することを特徴とする。
【００３４】
第１の音声／映像情報記録再生方法はさらに、音声用連続データ領域の境界を示す境界情報を音声情報と共に記録する工程を含むことが好ましい。
【００３５】
前記の目的を達成するため、本発明に係る第２の音声／映像記録再生方法は、映像情報を記録媒体に映像ファイルとして記録し、音声情報を記録媒体に音声ファイルとして記録し、記録媒体に記録された映像情報と音声情報とを同時に実時間連続再生する音声／映像情報記録再生方法であって、読み書きヘッドの最大移動時間の３倍の時間と、ひとつの音声用連続データ領域を読み込む時間との合計の時間分の映像情報を余分に確保するのに要する時間以上の間、映像情報の記録が可能な物理的に連続する複数の記録単位からなる映像用連続データ領域を検出する工程と、映像情報を記録すべき前記映像用連続データ領域の記録単位番号を指示する工程と、音声情報の記録が可能な物理的に連続する複数の記録単位からなり、かつデータサイズが所定の範囲となるような音声用連続データ領域を検出する工程と、複数の音声用連続データ領域上に音声情報を連続的に記録する工程とを含み、映像用連続データ領域に記録された映像情報と音声用連続データ領域に記録された音声情報を交互に読み出しながら、映像と音声とを同時に実時間連続再生することを特徴とする。
【００３６】
第２の音声／映像情報記録再生方法はさらに、音声用連続データ領域の境界を示す境界情報を音声情報と共に記録する工程と、境界情報を参照して、音声用連続データ領域に記録された音声情報を読み出す工程とを含むことが好ましい。
【００３７】
【発明の実施の形態】
以下、本発明の実施の形態について、図面を参照しながら説明する。
【００３８】
（実施の形態１）
図１は、本発明の実施の形態１に係る音声／映像情報記録再生装置の構成を示すブロック図である。本実施形態と従来例（図１６）との違いは、第２トランスポートストリーム分解部１６６を有する点と、連続データ領域検出部１６０、記録制御部１６１、ポストレコーディング用記録制御部１６２、ポストレコーディング用再生制御部１６３およびバッファメモリ１６４の機能が異なる点にある。また、再生部１２１のデータ読み込み速度、第１トランスポートストリーム分解部１６５に入力する同画データの最大再生レート、ピックアップ１３０の読み込み動作時および書き込み動作時の最大移動時間は、従来例と同じであるものとしている。
【００３９】
図２は、図１の機能ブロックの中で、ポストレコーディングモード記録の際に関係するブロックを示し、図３は、図１の機能ブロックの中で、ポストレコーディング記録の際に関係するブロックを示し、図４は、図１の機能ブロックの中で、ポストレコーディング再生の際に関係するブロックを示す図である。
【００４０】
図５は、本発明の実施の形態１に係る音声／映像情報記録装置における映像および音声の記録形態を示す図である。従来例を示す図１７との違いは、連続データ領域の長さ（２．６秒分以上）が異なる点だけである。その他の点（例えば、ＶＯＢＵが、Ｖ＿ＴＳＰ、Ａ＿ＴＳＰおよびＤ＿ＴＳＰから構成される点など）は同じである。
【００４１】
図６は、本発明の実施の形態１において、ポストレコーディング記録時に記録する裏音声ファイルの記録形態を示す図である。裏音声ファイルは、裏音声を符号化したＡ＿ＴＳＰから構成される。具体的には、ＡＡＣ（Ａｄｖａｎｃｅｄ  Ａｕｄｉｏ  Ｃｏｄｉｎｇ）圧縮符号化された音声データにトランスポートパケットヘッダを付加してトランスポートストリームを構成する。また、光ディスク１３１上に確保された複数個の９６ｋｂｙｔｅ固定長の連続データ領域内に、このトランスポートストリームが連続的に記録される。それぞれの９６ｋｂｙｔｅは互いに物理的に離れていても良い。なお、図６では省略しているが、ＰＡＴ、ＰＭＴ等はトランスポートストリームに必須のパケットであり、裏音声ファイルに含まれる。
【００４２】
図７は、本発明の実施の形態１におけるポストレコーディング記録時の動作モデルを示す図である。光ディスク１３１上に記録済みの動画データはピックアップ１３０を介して速度Ｖｒで動画バッファメモリ内に取り込まれ、さらにその動画データは速度Ｖｏｕｔでトランスポートストリーム分解部１６５に転送され、さらに映像伸長部１１１および第１音声伸長部１１３により映像および音声が再生される。一方、音声信号は音声圧縮部１０３により音声データに変換され、次にトランスポートストリーム組立部１０４を介して速度Ａｉｎで音声バッファメモリに取り込まれる。さらに、その音声データは、速度Ａｗでピックアップ１３０を介して光ディスク１３１に書き込まれる。動画データの読み込みと音声データの書き込みは１個のピックアップ１３０を時分割的に交互に切り替えることにより実現される。ここで、Ｖｒ＞Ｖｏｕｔ、Ａｗ＞Ａｉｎとする。
【００４３】
図８は、本発明の実施の形態１におけるポストレコーディング記録時の動画バッファメモリおよび音声バッファメモリ内の符号量の遷移を示す図である。図８において、ｔｓｅｅｋはピックアップ１３０の最大移動時間、ｔＡｗｒｉｔｅは裏音声用音声ファイルの書込み時間、ｔＶ−ＣＤＡは動画用連続データ領域の読出し時間を示す。ＢＡ−ｔｈは、音声データの書込みのためのシーク動作を開始する際の閾値である。音声バッファメモリ内の符号量がＢＡ−ｔｈ以上になった場合に、ピックアップ１３０は動画データ上から裏音声データ上へ移動を開始する。本実施の形態１では、ＢＡ−ｔｈは９６ｋｂｙｔｅであるものとする。
【００４４】
図９は、本発明の実施の形態１におけるポストレコーディング再生時の動作モデルを示す図である。光ディスク１３１上に記録済みの動画データは、ピックアップ１３０を介して速度Ｖｒで動画バッファメモリ内に取り込まれ、さらに、その動画データは、速度Ｖｏｕｔでトランスポートストリーム分解部１６５に転送され、さらに映像伸長部１１１および第１音声伸長部１１３により映像および音声として再生される。一方、光ディスク１３１上に記録済の裏音声データは、ピックアップ１３０を介して速度Ａｒで音声バッファメモリ内に取り込まれ、さらに、その裏音声データは、速度Ａｏｕｔでトランスポートストリーム分解部１６６を介して第２音声伸長部１１４により裏音声として再生される。ここで、Ｖｒ＞Ｖｏｕｔ、Ａｒ＞Ａｏｕｔとする。
【００４５】
図１０は、本発明の実施の形態１におけるポストレコーディング再生時の動画バッファメモリおよび音声バッファメモリ内の符号量の遷移を示す図である。ＢＶは動画バッファメモリサイズ、ＢＡは音声バッファメモリサイズを示す。
【００４６】
図３７は連続データ領域の概念図である。最小の動画用連続データ領域は、最小の２倍の音声用連続データ領域を読み込むのにかかる時間と、２回分の最大シーク時間の合計時間分だけの映像データを含む。一方、最小の音声用連続データ領域は、最小の２倍の映像用連続データ領域を読み込むのにかかる時間と、２回分の最大シーク時間の合計時間分だけの音声データを含む。
【００４７】
ポストレコーディングモード記録時には、図２の機能ブロックを利用する。記録制御部１６１が記録部１２０、連続データ領域検出部１６０および論理ブロック管理部１４４の制御を行ない、ポストレコーディングモード記録を実施する。この時、記録制御部１６１は、連続データ領域検出部１６０に物理的に連続する空き領域を検出させる。
【００４８】
具体的には、記録開始操作によって、トランスポートストリーム組立部１０４は、圧縮された映像信号と圧縮された音声信号をそれぞれ１８８バイト単位のトランスポートパケットＶ＿ＴＳＰおよびＡ＿ＴＳＰに分割し、さらにポストレコーディング用ダミーパケット発生部１０５が生成するＤ＿ＴＳＰを加え、この３種類のトランスポートパケットで１つのＶＯＢＵを構成する様に順番に並べてトランスポートストリームを作成した後に、バッファメモリ１６４を介して記録部１２０へ渡す。
【００４９】
記録部１２０では、記録制御部１６１から指示された論理ブロック番号の位置からＶＯＢＵの記録を開始する。このとき、記録部１２０において、１つのＶＯＢＵは３２ｋバイト単位に分割され、３２ｋバイト単位に誤り訂正符号が付加されて光ディスクの１つの論理ブロック上に記録される。また、１つの論理ブロックの途中で１つのＶＯＢＵの記録が終了した場合は、隙間を開けることなく次のＶＯＢＵの記録を連続的に行う。
【００５０】
連続データ領域検出部１６０は、論理ブロック管理部１４４内で管理されている論理ブロックの使用状況を探索して、未使用の論理ブロックが最大記録再生レート換算で２．６秒分連続している領域を検出しておく。そして、当該論理ブロック領域の論理ブロック番号を、論理ブロック単位の書き込みが発生するごとに記録部１２０へ通知し、また論理ブロックが使用済みになることについては、論理ブロック管理部１４４に通知する。
【００５１】
論理ブロック管理部１４４は、必要に応じて再生部１２１を起動して、光ディスク１３１上に記録されているＵＤＦファイルシステムのスペースビットマップを読み込み、論理ブロックの使用状況を把握する。本実施形態では、電源投入時にまとめてスペースビットマップを読み込むことにより、ポストレコーディングモード記録時、ポストレコーディング記録時、ポストレコーディング再生時には、途中でスペースビットマップの読み込みは不要な処理として扱う。
【００５２】
次に、ポストレコーディング記録（裏音声を記録）を行う場合には、図１の機能ブロック内の図３に示す機能ブロックを利用する。ポストレコーディング用記録制御部１６２は、光ディスク１３１上に記録されたＭＰＥＧトランスポートストリームがピックアップ１３０、再生部１２１、トランスポートストリーム分解部１６５を経由する様に制御することにより、映像および音声を再生する。この時バッファメモリ１６４は、図７に示すように動画バッファメモリと音声バッファメモリに分割使用され、あらかじめ記録されている動画および音声の一時的なデータ蓄積のために、バッファメモリ１６４が使用される。ポストレコーディング用記録制御部１６２は同時に、音声信号入力部１０２の音声を、音声圧縮部１０３を経由することによりＡＡＣ圧縮符号に圧縮し、さらにトランスポートストリーム組立部１０４を経由することにより、ＭＰＥＧトランスポートストリームへ変換する。
【００５３】
そして、その変換されたＭＰＥＧトランスポートストリームは、さらにバッファメモリ１６４（ただし、音声バッファメモリ）、記録部１２０およびピックアップ１３０を介して、相変化光ディスク１３１へ裏音声ファイルとして記録される。
【００５４】
裏音声ファイルは、図６に示すように、固定長の物理的に連続した領域に配置される（動画ファイルとは固定長である点およびデータサイズが異なる）。この連続データ領域を複数個確保し、その領域に裏音声のトランスポートストリームを連続的に配置する。それぞれの固定長領域は物理的に離れていても良い。
【００５５】
ポストレコーディング用記録制御部１６２は、図８の時間（１）では、ピックアップ１３０を介して映像の再生を行うので、動画バッファメモリ内には最低Ｖｒ−Ｖｏｕｔ以上の速度で映像データが蓄積される。一方、音声バッファメモリ内には、裏音声のトランスポートストリームがＡｉｎ以下の速度で蓄積される。音声バッファメモリの蓄積量が音声用連続データ領域のデータサイズである９６ｋバイトを越えると、ポストレコーディング用記録制御部１６２は、裏音声データの書出しを行うために、ピックアップ１３０を裏音声データ用の空き連続データ領域へ移動させる（時間（２））。この移動の間、動画のディスクからの読み込みが中断するので、動画バッファメモリのデータ量は最大Ｖｏｕｔの速度で減少する。ピックアップ１３０の移動が完了すると、時間（３）に示す様に、裏音声データの書き込みにより、音声バッファメモリの符号量はＡｗの速度で減少する。次に、裏音声データの連続データ領域１個分の書き込みが完了すると、ピックアップ１３０を動画ファイルの読み込み中断位置まで戻す（時間（４））。さらに、最悪のケースであるが、戻った直後に、動画ファイルの連続データ領域の不連続個所に遭遇すると、次の連続データ領域までピックアップ１３０を移動させるので、動画バッファメモリ上の動画データは０にまで減少する（時間（５））。そして、次の連続データ領域内における動画データの読み込みが再開すると、動画バッファメモリ内に最低Ｖｒ−Ｖｏｕｔの速度で動画データが蓄積する（時間（６））。以降は同様にして、ピックアップ１３０を交互に移動させながらポストレコーディング記録を実現する。
【００５６】
以上の様に、動画ファイルの連続データ領域の最小サイズが３回分のピックアップ移動時間および音声データの書き込み時間を合計した時間の間、動画を表示し続けるだけの動画データが、確実に動画バッファメモリ内に蓄積されるだけのサイズになっているので、動画を途切れることなく連続して実時間再生できる。また、同時に音声ファイルの書き込みにおいても、データが欠落すること無く連続的に記録できる。
【００５７】
ポストレコーディング再生の場合には、図４の機能ブロックを利用する。ポストレコーディング用再生制御部１６３は、光ディスク１３１上に記録された動画ファイルを、ピックアップ１３０、再生部１２１、第１トランスポートストリーム分解部１６５、映像伸長部１１１および第１音声伸長部１１３を経由することにより、映像および表音声として再生する。同時に、ポストレコーディング用再生制御部１６３は、光ディスク１３１上に記録された裏音声ファイルを、ピックアップ１３０、再生部１２１、第２トランスポートストリーム分解部１６６、第２音声伸長部１１４を経由することにより、裏音声として再生する。この時、バッファメモリ１６４は、図９に示す様に、動画バッファメモリと音声バッファメモリに分割使用され、動画ファイルのデータを蓄積するために動画バッファメモリが使用され、裏音声ファイルのデータを蓄積するために音声バッファメモリが使用される。
【００５８】
ポストレコーディング用再生制御部１６３は、図１０の時間（１）では、裏音声ファイルを音声用連続データ領域１個分（９６ｋバイト）だけ読み込む。これにより、音声バッファメモリ内に裏音声データが蓄積される。次に、裏音声ファイルから動画ファイルへとピックアップ１３０の移動を開始する（時間（２））。ピックアップ１３０が動画ファイルに到着すると、時間（３）の先頭より、動画データの読み込みおよび再生を開始する。従って、動画バッファメモリ内には、最低Ｖｒ−Ｖｏｕｔの速度でデータが蓄積される。同時に、時間（３）の先頭より、音声バッファメモリ内のデータの再生を開始する。これにより、音声バッファメモリ内のデータ量は最大Ａｏｕｔの速度で減少する。そして、このデータ量がＢＡ−ｔｈになった時点で、動画ファイル上のピックアップ１３０が音声ファイル上へ移動を開始する（時間（４））。この移動により、光ディスク１３１からの動画データの読み込みが中断するので、動画バッファメモリの符号量は最大Ｖｏｕｔのペースで減少する。この移動が完了すると、時間（５）の様に、裏音声ファイルからのデータ読み込みが始まるので、音声バッファメモリ内に最低Ａｒ−Ａｏｕｔの速度で音声データが蓄積される。そして、時間（６）において、ポストレコーディング用再生制御部１６３は、ピックアップ１３０を裏音声ファイル上から動画ファイル上へ移動させる。図１０では、移動が完了した後、時間（７）でたまたま動画ファイルの不連続点（連続データ領域の境界）に遭遇し、ピックアップ１３０の移動が発生した例を示す。この移動が完了すると、時間（８）に示す様に、再び動画データの読み込みを開始する。以降は同様にして、ピックアップ１３０を交互に移動させながら、ポストレコーディング再生を実現する。
【００５９】
ポストレコーディング再生時の動画用連続データ領域の最低限の読み込み時間長をｔＶ−ＣＤＡ、ポストレコーディング再生時の音声用連続データ領域の読み込み時間長をｔＡ−ＣＤＡとすると、図１０において、
（Ｖｒ−Ｖｏｕｔ）ｔＶ−ＣＤＡ＝Ｖｏｕｔ×（３ｔｓｅｅｋ＋ｔＡ−ＣＤＡ）…（式１）
（Ａｒ−Ａｏｕｔ）ｔＡ−ＣＤＡ＝Ａｏｕｔ×ｔＡｏｕｔ…（式２）
ｔＡｏｕｔ＝ｔＶ−ＣＤＡ＋３ｔｓｅｅｋ…（式３）
なる関係があることより、ｔＶ−ＣＤＡおよびｔＡ−ＣＤＡはそれぞれ以下のように求まる。
【００６０】
ｔＶ−ＣＤＡ＝（Ｖｏｕｔ／Ｖｒ）×（３ｔｓｅｅｋ＋ｔＡ−ＣＤＡ）／（１−（Ｖｏｕｔ／Ｖｒ））…（式４）
ｔＡ−ＣＤＡ＝（（Ａｏｕｔ／Ａｒ）×３ｔｓｅｅｋ）／（１−（Ａｏｕｔ／Ａｒ）−（Ｖｏｕｔ／Ｖｒ））…（式５）
また、映像用連続データ領域の最小限のデータサイズＳＶ−ＣＤＡ、および裏音声用連続データ領域の最低限のデータサイズＳＡ−ＣＤＡはそれぞれ以下のように求まる。
【００６１】
ＳＶ−ＣＤＡ＝Ｖｒ×ｔＶ−ＣＤＡ                          …（式６）
ＳＡ−ＣＤＡ＝Ａｒ×ｔＡ−ＣＤＡ                          …（式７）
本実施形態の場合、ｔｓｅｅｋ＝０．５ｓ、Ｖｏｕｔ＝１０Ｍｂｐｓ、Ｖｒ＝２４Ｍｂｐｓ、Ａｏｕｔ＝２８８ｋｂｐｓ、Ａｒ＝２４Ｍｂｐｓとして計算することにより、ｔＶ−ＣＤＡ＝１．１ｓ、ＳＶ−ＣＤＡ＝３．３Ｍｂｙｔｅ、ｔＡ−ＣＤＡ＝０．０３ｓ、ＳＡ−ＣＤＡ＝９０ｋｂｙｔｅとなる。そこで、ＳＡ−ＣＤＡは、論理ブロックの整数倍となる様に、９６ｋｂｙｔｅとした。
【００６２】
以上の様に、動画ファイルの連続データ領域がピックアップ１３０の移動時間の３倍と音声データの読み込み時間を合計した時間（１．５３ｓ）の間、動画を表示し続けられるだけの動画データが、確実に動がバッファメモリ内に蓄積されるだけのサイズ（３．３Ｍｂｙｔｅ）になっているので、映像および表音声をとぎれることなく連続して実時間再生できる。また、同時に裏音声ファイルの再生においても、データが欠落すること無く連続的に実時間再生できる。
【００６３】
また、１つの映像に対して複数の裏音声ファイルを作成し、映像ファイルと裏音声ファイルの組み合わせを取捨選択して映像と複数の裏音声を比較できるメリットもある。
【００６４】
なお、裏音声ファイル用の連続データ領域のデータサイズは固定長であるものとしたが、その固定値のサイズ以上の可変長であっても良い。ただし、この場合、動画ファイルの連続データ領域の最小データサイズをピックアップ１３０の１回分の最大移動時間を見込んだ長さだけ伸ばす必要がある。すなわち、動画ファイルの連続データ領域のデータサイズが４回分のピックアップ１３０の移動時間および音声データの読み込み時間を見込んだ長さにしても良い。ただしこの場合、ピックアップが一度に読み出す裏音声ファイルのデータ量は固定値であるものとする。
【００６５】
なお、本実施形態では、動画ファイルの連続データ領域のデータサイズは所定のサイズ以上であるものとしたが、動画ファイルの先頭および末尾の連続データ領域のデータサイズはこの限りではない。というのは、例えば、動画ファイルの先頭部分を削除する場合は、残りの連続データ領域のデータサイズが所定のデータサイズよりも小さくなる場合があるからである。所定の連続データ領域のデータサイズが短い場合でも、再生開始時の事前のデータ読み込みを多めにすることにより、ひとつの動画ファイルの連続再生には影響しない。
【００６６】
なお、図１０では、動画ファイルと裏音声ファイルの読み込みが完全に同期する場合を示したが、完全に同期する必要はない。動画ファイルおよび裏音声ファイルの連続データ領域が図１０の場合よりも長めに確保されていれば、図２４に示す様な動作となる。図１０との違いは、動画ファイルおよび裏音声ファイルの連続データ領域が図１０の場合よりも長いため、区間（３）がより長い点にある。この場合、上記（式３）は以下の（式８）に置き換えられる。
【００６７】
ｔＡｏｕｔ≧ｔＶ−ＣＤＡ＋３ｔｓｅｅｋ                        …（式８）
さらにこの場合、例えば、裏音声ファイルの連続データ領域のデータサイズが９６ｋバイトから１９２ｋバイトの範囲になるようにすることにより、裏音声ファイルの編集が非常に容易になる（図２５に、裏音声ファイルのデータ構造を示す）。このことは、２つの裏音声ファイルの特定の部分同士を結合してひとつの裏音声ファイルとする様な編集の際において、例えば結合部分の２つの連続データ領域の合計のデータサイズが９６ｋバイト以下の場合に、２つの連続データ領域を単純に結合すること、もしくはさらに隣接する連続データ領域を加えた３つの連続データ領域を結合するにより、最小９６ｋバイト以上、最大１９２ｋバイト以下の連続データ領域を作成可能になることを意味する。このことにより、結合部分のみデータを書き換えることにより、裏音声ファイルの結合が非常に容易に達成できる。もし、９６ｋバイトの固定長とした場合、結合部分以降の全てのデータを連続データ領域内の前方にシフトする必要があるからである。ただし、この場合ポストレコーディング記録およびポストレコーディング再生時にピックアップが一度に読み込むデータ量はひとつの連続データ領域分とする。また、式（１）のｔＡ−ＣＤＡを１９２ｋバイト分（すなわち上限値）の音声データの読み込み時間に置き換える必要がある。図３３は、ポストレコーディング再生実施時のデータ読み込み順序および読込みデータ量を示す図である。動画データの一回の読み込み量は動画用の最小連続記録長以上で良い。一方、音声データの一回の読み込み量は音声用の最小連続記録長以上でかつ最小連続記録長の２倍未満であって良い。図３２は、この時の。ポストレコーディング再生実施時のタイミングチャートを示す。図３２のｔＡ−ＣＤＡは、図１０のｔＡ−ＣＤＡに比べて２倍の音声データを読み込む点が異なる。
【００６８】
裏音声ファイルのデータ読み出し単位を例えば９６ｋバイトから１９２ｋバイトのように最小連続データ領域のデータサイズの１から２倍を前提とする場合、（式２）を以下の（式９）に置き換えることにより、最小連続データ領域のデータサイズが求まる。
【００６９】
（Ａｒ−Ａｏｕｔ）ｔＡ−ＣＤＡ＝２Ａｏｕｔ×ｔＡｏｕｔ…（式９）
また、（式１）、（式９）、（式３）の関係より、
ｔＡ−ＣＤＡ＝（２（Ａｏｕｔ／Ａｒ）×３ｔｓｅｅｋ）／（（１−（Ｖｏｕｔ／Ｖｒ）×（１＋（Ａｏｕｔ／Ａｒ））…（式１０）
が導出される。ここでＶｒ＝Ａｒであることから、上記（式１０）は、
ｔＡ−ＣＤＡ＝（２（Ａｏｕｔ／Ａｒ）×３ｔｓｅｅｋ）／（１−Ｖｏｕｔ＋Ａｏｕｔ−Ａｏｕｔ×Ｖｏｕｔ）…（式１１）
に簡略化される。
【００７０】
また、この時、裏音声ファイルの連続データ領域のデータサイズが所定の範囲内で変動するので、ポストレコーディング再生制御部が裏音声用連続データ領域の境界を検出し易いように、音声ファイルをＵＤＦのロング・アロケーション・ディスクリプタのみを使用して構成し、そのインプリメンテーション・ユース・フィールド内に、裏音声用連続データ領域の先頭であることを示す１ｂｉｔの情報を付加しても良い。この時、ショート・アロケーション・ディスクリプタを使用しないのは、インプリメンテーション・ユース・フィールドが無いので、境界を示す情報を配置できないからである。また、別の方法として、ファイル・エントリの拡張属性（Ｅｘｔｅｎｄｅｄ  Ａｔｔｒｉｂｕｔｅｓ）フィールドにおいて、１つのアロケーション・ディスクリプタ毎に連続データ領域の先頭かどうかを示す情報を設けても良い。ここで、あるアロケーション・ディスクリプタが連続データ領域の先頭でない場合とは、不良論理ブロックをスキップした結果、２つのアロケーション・ディスクリプタを使用する場合である。
【００７１】
また、別の方法として、ポストレコーディング記録時に、裏音声用連続データ領域のデータサイズを、裏音声ファイルとは別の専用ファイルに記録してもよい。この時、それぞれの裏音声用連続データ領域のデータサイズを裏音声ファイル毎に例えば別々の専用ファイルに記録する。そして、ポストレコーディング再生時においては、別途記録された裏音声用連続データ領域のデータサイズ情報を参照してそのデータサイズ分だけ１度に読み込む。
【００７２】
なお、本実施の形態１では、裏音声用連続データ領域の境界とＡ＿ＴＳＰに含まれる各音声フレームの境界については特に触れなかったが、一致させても良い。
【００７３】
なお、本実施の形態１では、動画ファイル側の連続データ領域間の１回のシーク動作を考慮したが、逆に、裏音声ファイル側の連続データ領域が所定値以上のデータサイズ有し、動画ファイル側の連続データ領域が所定の範囲のデータサイズを有し、裏音声側の連続データ領域間の１回のシーク動作を考慮しても良い。
【００７４】
なお、本実施の形態１では連続データ領域のデータサイズはピークレートＶｒおよびＡｒを基準として算出したが、たとえば動画ストリームの実際のビットレートがピークレート以下で変動する場合は、連続データ領域のデータサイズが式（６）の値を満たさなくとも、ピークレート時の再生時間に等しい再生時間の動画データを含んでいれば良い。このことは音声ストリームの場合も同様である。例えばＶｏｕｔ＝１０Ｍｂｐｓ、ＳＶ−ＣＤＡ＝３．３Ｍｂｙｔｅを前提として記録を開始した場合でも、トランスポートストリーム組み立部１０４が生成する実際のビットレートがたまたま５Ｍｂｐｓ以下となっていれば、映像用の連続データ領域のデータサイズは１．６５Ｍｂｙｔｅであっても良い。同じ再生時間分のデータを読み込んだことになるからである。
【００７５】
なお、本実施の形態１では、ポストレコーディング記録、およびポストレコーディング再生の場合を取り扱ったが、動画ファイル記録と例えば１Ｍｂｐｓ以下の低ビットレートの動画ファイル記録を同時に実施する場合に、ポストレコーディング記録時と類似した連続データ領域長の考え方を導入しても良い。このケースとしては、例えばカムコーダで７４０×４８０画素のＭＰＥＧ２圧縮された動画ファイルを記録しながら１６０×１２０画素のＭＰＥＧ４圧縮された動画ファイルを記録することが想定される。ただし、この場合、７４０×４８０画素の動画ファイルは再生ではなく記録する対象となる。
【００７６】
なお、本実施の形態１では、ひとつの動画ファイルとひとつの裏音声ファイルを同時録再したり同時再生する場合を示したが、ひとつの動画ファイルを再生しながら複数の裏音声ファイルを記録したり、また、ひとつの動画ファイルを再生しながら複数の裏音声ファイルを再生する場合も類似した考え方が適用可能である。たとえば、Ｎ個の裏音声ファイルを想定する場合は、ひとつの裏音声ファイルの場合に比べて、動画ファイルの連続記録領域のデータサイズの最小値をＮ倍すればよい。裏音声ファイルの連続データ領域の最大値および最小値もＮ倍すれば良い。
【００７７】
なお、本実施の形態１では、ポストレコーディング再生時に、音声バッファ内のデータが図１０の閾値ＢＡ−ｔｈ以下になったら裏音声ファイル側へピックアップを移動するものとしたが、あらかじめ決められた時間周期とスケジュールで裏音声ファイルのひとつの連続データ領域を読み込んでも良い。そして、裏音声ファイルを読み込まない期間内は動画ファイルの読み込みを必要に応じて適宜実施する。
【００７８】
なお、本実施の形態１では、ポストレコーディング再生時に、音声バッファ内のデータが図１０の閾値ＢＡ−ｔｈ以下になったら裏音声ファイル側へピックアップを移動するものとしたが、あらかじめ決められた時間周期とスケジュールで、動画ファイルおよび裏音声ファイルの読み込みを実施しても良い。
【００７９】
なお、本実施の形態１では、ポストレコーディング記録時に、音声バッファ内のデータが図８の閾値ＢＡ−ｔｈ以上になったら裏音声ファイル側へピックアップを移動するものとしたが、あらかじめ決められた時間周期とスケジュールで裏音声ファイルのひとつの連続データ領域への書込みを実施しても良い。そして、裏音声ファイルを読み込まない期間内は動画ファイルの読み込みを必要に応じて適宜実施す。
【００８０】
なお、本実施の形態１では、ポストレコーディング記録時に、音声バッファ内のデータが図８の閾値ＢＡ−ｔｈ以上になったら裏音声ファイル側へピックアップを移動するものとしたが、あらかじめ決められた時間周期とスケジュールで裏音声ファイルのひとつの連続データ領域への書込み、および動画ファイルからのデータ読み込みを実施しても良い。
【００８１】
なお、本実施の形態１では、裏音声ファイルの連続データ領域のデータサイズが、所定値以上の可変長の場合を示したが、連続データ領域のデータサイズの規則の簡素化のために、動画ファイルの連続データ領域の規則と同じにしても良い。ただし、この場合であっても、一度に読み込むべき裏音声ファイルのデータサイズは固定長分だけ読み込む。
【００８２】
なお、本実施の形態１では、裏音声ファイルの連続データ領域のデータサイズが、所定値以上の可変長の場合を示したが、連続データ領域のデータサイズの規則の簡素化のために、物理的に完全に連続していることとしても良い。ただし、この場合、裏音声ファイルの記録が完了した後で、連続化のために全データの移動が必要となる。また、この場合であっても、一度に読み込むべき裏音声ファイルのデータサイズは固定長分だけ読み込む。
【００８３】
なお、本実施の形態１では、動画ファイルと裏音声ファイル相互の物理配置については特に触れなかったが、ポストレコーディングモード記録時に、図２６に示す様に、あらかじめ裏音声ファイルのデータと動画ファイルのデータを交互に配置できる様に、映像ファイルを記録しておいても良い。ポストレコーディング記録時に、あらかじめ確保された領域に裏音声ファイルのデータを書き込む。これにより、ポストレコーディング再生時のシーク発生量を著しく減らすことができる。図２６に示す裏音声用連続データ領域と動画ファイル用連続データ領域を順に読み出せば、裏音声データを読みだす度に必要だった２回のシーク動作が不要になるからである。
【００８４】
また、図３１に示すように、裏音声ファイルの連続データ領域の物理配置が動画ファイルのＶＯＢＵの直前となる様に配置しても良い。このとき、ひとつの裏音声用連続データ領域内には、物理的に直後に配置されるＶＯＢＵに対応する裏音声データを格納する。これにより、ポストレコーディング再生時にＶＯＢＵの単位のランダムアクセスが容易に可能になる。このとき、ポストレコーディング再生時において、シームレスにデータを読み出すために必要な動画ファイルの連続読み出し量が、実施の形態１の場合に較べて１／３で済む。なお、裏音声ファイルの連続データ領域へのポストレコーディング記録が、光ディスクドライブの転送レートや最大シーク時間の関係で、リアルタイムに実施できない場合は、オフラインで裏音声用のデータを記録しても良い。この場合、再生データを確認しながらの音声吹き込みができないことになるが、ＢＧＭ（バックグラウンドミュージック）を書き込む場合等には活用できる。なお、図３１において、裏音声ファイルの連続データ領域は３個のＥＣＣブロックから構成されるものとしたが、これは１秒分の音声データ用に２個（６４ｋバイト）と、欠陥ブロック発生時の予備のＥＣＣブロック（３２ｋバイト）から構成されるものとした。これ以外にも、動画ファイルに重畳すべき静止画データ等を記録すべく４個目のＥＣＣブロックを追加しても良い。
【００８５】
さらに、図３１の裏音声データとして、動画データ内の裏音声用ダミーデータと同じプレゼンテーションタイムスタンプを持つ音声フレームを有する様にしても良い。これにより、裏音声ファイルの音声データを動画ファイル内にコピーしやすくなる。また、パケット内の内部データ構造も動画ファイル内の裏音声データに類似したデータ構造を持つようにしても良い。このことは、動画ファイルがトランスポートストリームでなくてプログラムストリーム形式で記録される場合も同様である。
【００８６】
（実施の形態２）
次に、本発明の実施の形態２について説明する。実施の形態２と実施の形態１との違いは、裏音声の符号化方式が異なる点にある。実施の形態１では、ＡＡＣ圧縮符号を使うのに対して、実施の形態２では、リニアＰＣＭ（Ｌｉｎｅａｒ  ＰＣＭ、あるいはＰｕｌｓｅ  Ｃｏｄｅ  Ｍｏｄｕｌａｔｉｏｎ）符号を使う。
【００８７】
図１１は、本発明の実施の形態２に係る音声／映像情報記録再生装置の機能構成を示すブロック図である。図１と図１１の違いは、Ａ／Ｄ変換部１７４および第２トランスポートストリーム組立部１７５を含む点と、トランスポートストリーム組立部１０４の代わりに第１トランスポートストリーム組立部１７３を有する点（但し、機能的には同じ）と、第２音声伸長部１１４の代わりにＤ／Ａ変換部１７６を有する点と、機能的に異なったポストレコーディング用記録制御部１７０、ポストレコーディング用再生制御部１７１、およびバッファメモリ１７２を有する点にある。なお、再生部１２１のデータ読出速度、トランスポートストリーム分解部１６５、１６６の最大記録再生レート、ピックアップ１３０の読み込み動作時および書き込み動作時の最大移動時間は従来例と同じであるものとしている。
【００８８】
図１２は、図１１の中でポストレコーディング記録の際に関係するブロックを示し、図１３は、図１１の中でポストレコーディング再生の際に関係するブロックを示す図である。
【００８９】
以上の様に、裏音声の符号形式としてリニアＰＣＭ符号を使うので、ポストレコーディング再生時に、回路規模の大きい第２音声伸長部１１４を回路規模の小さいＤ／Ａ変換部１７６で代替できる。
【００９０】
ただし、裏音声の再生速度はＡＡＣ圧縮の場合よりも上がるので、その分連続データ領域の長さを（式７）に基づいて調整する必要がある。
【００９１】
なお、裏音声ファイル用の連続データ領域のデータサイズは固定長であるものとしたが、固定のサイズ以上の可変長であっても良い。ただし、この場合、動画ファイルの連続データ領域の最小データサイズをピックアップ１３０の１回分の最大移動時間を見込んだ長さだけ伸ばす必要がある。
【００９２】
なお、裏音声ファイルの連続データ領域のデータサイズは、所定の範囲（例えば、９６ｋバイト〜１９２ｋバイト）であっても良い。というのは、裏音声ファイル同士の結合等の編集処理が非常に容易になるからである。
【００９３】
（実施の形態３）
次に、本発明の実施の形態３について説明する。実施の形態３と実施の形態１との違いは、ポストレコーディング再生時に、動画ファイルと裏音声ファイルの同時再生を行うのではなく、動画ファイルの中にあらかじめ裏音声ファイルを１つのトランスポートストリームとして混合（ＭＩＸ）しておき、再生時には表音声ストリームと裏音声ストリームを並列に復号する点にある。
【００９４】
図１４は、本発明の実施の形態３に係る音声／映像情報記録再生装置の機能構成を示すブロック図である。図１と図１４の違いは、トランスポートストリーム分解部１１５を１つしか有さない点と、ポストレコーディング用ＭＩＸ制御部１８０を有する点にある。また、ポストレコーディング用再生制御部１５３は、従来例のポストレコーディング用再生制御部１５３と同等の機能を有する点が異なる。なお、再生部１２１のデータ読出速度、トランスポートストリーム分解部１１５の最大記録再生速度、ピックアップ１３０の読み込み動作時および書き込み動作時の最大移動時間は従来例と同じであるものとしている。
【００９５】
図１５は、図１４の中でポストレコーディング再生の際に関係するブロックを示す図である。
【００９６】
映像記録時、ポストレコーディング記録時は、実施の形態１と同様に処理を行う。その後で、裏音声ファイル内のＡ＿ＴＳＰで動画ファイル内のＤ＿ＴＳＰを置き換えることにより、表音声ストリームと裏音声ストリームがＭＩＸされたトランスポートストリームに書き換える。
【００９７】
ポストレコーディング再生時は、ＭＩＸ後の動画ファイルを図１５の再生部１２１、バッファメモリ１６４、トランスポートストリーム分解部１１５を経由させる。そして、さらに表音声ストリームは、第１音声伸長部１１３および音声出力部１１２を経由し、裏音声ストリームは、第２音声伸長部１１４および音声出力部１１２を経由させて、両方の音声を映像と共に再生する。
【００９８】
以上の様に、表音声と裏音声がＭＩＸされたトランスポートストリームからなる動画ファイルを作成することにより、２つのファイルを管理する必要はなく、１つのファイルのみを管理すれば良くなる。
【００９９】
また、動画ファイルと裏音声ファイルのデータ構造が同じトランスポートストリーム形式であることにより、動画ファイル内のＤ＿ＴＳＰと裏音声ファイル内のＡ＿ＴＳＰを交換すれば良いので、ＭＩＸされた動画ファイルを作成しやすい。また、動画ファイルと裏音声ファイルのデータ構造が同じトランスポートストリーム形式であることにより、動画ファイル内のＤ＿ＴＳＰを裏音声ファイル内のＡ＿ＴＳＰで置き換えたトランスポートストリームをデジタルインタフェースへ出力する際にも置き換えが容易になる。さらに、裏音声ファイルのデータ構造をトランスポートストリームの様なＭＰＥＧシステムストリーム形式にすることにより、音声圧縮符号（例えば、ＡＡＣ符号）が異なっていても、統一した音声ファイルとして取り扱うことができるので、裏音声ファイルの取り扱いが容易になる。
【０１００】
なお、裏音声ファイルの連続データ領域のデータサイズは、所定の範囲（例えば、９６ｋバイト〜１９２ｋバイト）であっても良い。というのは、裏音声ファイル同士の結合等の編集処理が非常に容易になるからである。
【０１０１】
なお、裏音声ファイル用の連続データ領域のデータサイズのみ固定長であるものとしたが、動画ファイル側の連続データ領域のデータサイズが別の固定値であっても良い。ただし、この場合、動画ファイルの連続データ領域の最小データサイズをピックアップ１３０の１回分の最大移動時間を見込んだ長さだけ減らす必要がある。すなわち、動画ファイルの連続データ領域のデータサイズが２回分のピックアップ１３０の移動時間および音声データの読み込み時間を見込んだ長さにしても良い。ただし、この場合、アフレコ再生時にピックアップが一度に読み出す動画ファイルのデータ量はひとつの連続データ領域分であるものとする。また、アフレコ再生時にピックアップが読み出す裏音声ファイルのデータ量もひとつの連続データ領域分であるものとする。
【０１０２】
また、この時、裏音声ファイルの連続データ領域のデータサイズが固定長でなくても、最小値と最大値の間に収まるデータサイズであっても良い。
【０１０３】
（実施の形態４）
次に、本発明の実施の形態４について説明する。実施の形態４と実施の形態１との違いは、動画ファイルに音声データが含まれていなくて、静止画像のみ含まれる動画ファイルのポストレコーディング再生を取り扱う点にある。そして、この様な静止画像を、指定された順序で所定の時間間隔でスライドショーの様に切り換えながら、同時に音声ファイルに記録されている音声を再生する場合の例について説明する。なお、音声／映像情報記録再生装置の構成は実施の形態１と同様であるものとする。
【０１０４】
図２３は、本発明の実施の形態４に係る音声／映像情報記録再生装置におけるポストレコーディング再生時の動画バッファメモリおよび音声バッファメモリ内の符号量の遷移を示す図である。以下、図２３を参照して説明する。
【０１０５】
ポストレコーディング用再生制御部１６３は、時間（１）の先頭より、動画データの読み込みを開始する。従って、動画バッファメモリ内にはＶｒの速度でデータが蓄積される。次に、時間（２）において、音声データへシーク動作を行う。そして、１枚分の静止画データの読み込み完了後、時間（３）よりその静止画を表示する。同時に、音声バッファメモリ内のデータの読み込みと、読み込まれたデータの再生を開始する。これにより、音声バッファメモリ内のデータ量は最大Ａｒ−Ａｏｕｔの速度で増加する。そして、時間（４）では、ピックアップ１３０が音声データ上から映像データ上へ移動を行う。この間、音声出力も同時に実施するので、音声バッファメモリ内の符号量はＡｏｕｔの速度で減少する。ピックアップ１３０の移動が完了すると、映像データの読み込みを再開する（時間（５））。そして、音声バッファメモリ内のデータ量がＢＡ−ｔｈになった時点で、動画ファイル上のピックアップ１３０が音声ファイル上への再移動を開始する（時間（６））。以上の繰り返しにより、表示周期ｔｓｔｉｌｌの間に、読み込まれた静止画データは、トランスポートストリーム分解部１６５に転送され、さらに映像伸長部１１１により映像が再生される。また、表示周期ｔｓｔｉｌｌの間に、読み込まれた音声データも第１音声伸長部１１３により再生される。
【０１０６】
ここで、表示周期である映像更新間隔ｔｓｔｉｌｌｌは、１枚の静止画像データを読み込む時間をｔＶｒｅａｄ、固定データサイズの連続データ領域に記録された音声データを読み込む時間をｔＡ−ＣＤＡ、ピックアップ１３０の最大移動時間をｔｓｅｅｋとすれば、以下の（式１２）を満たせば良い。
【０１０７】
ｔｓｔｉｌｌ≧ｔＶｒｅａｄ＋ｔＡ−ＣＤＡ＋２ｔｓｅｅｋ            …（式１２）
以上の様にして、スライドショーに音声を付加することが容易に実現できる。
【０１０８】
なお、本実施の形態４において、静止画像はトランスポートストリームからなる動画ファイルに含まれるものとしたが、ＪＰＥＧファイルであっても良い。この場合、ＪＰＥＧ復号部が必要となることは言うまでも無い。
【０１０９】
また、本実施の形態４において、静止画の更新間隔は一定であるものとしたが、上記（式１２）を満たせば一枚毎に個別に指定しても良い。また、静止画像のデータサイズが個別に異なる場合は、更新間隔をそのデータサイズに応じて（式９）を満たす様な範囲で１枚毎に指定しても良い。
【０１１０】
また、本実施の形態４では、静止画をスライド表示しながら、音声を再生する場合を示したが、音声を記録する場合も同様である。この場合、音声データの読み込み時間と書き込み時間を差替えれば良いことは言うまでもない。
【０１１１】
なお、裏音声ファイルの連続データ領域のデータサイズは、所定の範囲（例えば、９６ｋバイト〜１９２ｋバイト）であっても良い。というのは、裏音声ファイル同士の結合等の編集処理が非常に容易になるからである。ただし、この場合、（式１２）のｔＡ−ＣＤＡとして、データサイズの最大値（１９２ｋバイト）の読み込み時間に置き換える必要がある。
【０１１２】
また、本実施の形態４では、音声ファイルの１回の読み込み時にシークは発生しないものとしたが、複数回のシークを前提として良い。ただし、この場合、静止画の再生時間をそのシーク分だけ引き延ばす必要がある。
【０１１３】
（実施の形態５）
本発明の実施の形態５と実施の形態１との違いについて、以下に説明する。
【０１１４】
第１に、動画用連続データ領域の最小値が異なる点である。最小値は２回のピックアップの最大移動時間分の動画データを確保するのに要する連続データ領域のデータサイズと、裏音声の連続データ領域の最小値の２倍分のデータサイズを読み出す間の動画データを確保するのに要する連続データ領域上のデータサイズとの合計とする。
【０１１５】
第２に、裏音声用連続データ領域の最小値が異なる点である。この最小値は、２回のピックアップの最大移動時間分の裏音声データを確保するのに要する連続データ領域のデータサイズと、映像の連続データ領域の最小値の２倍分のデータを読み出す間に再生すべき動画データを確保するのに要する連続データ領域上のデータサイズとの合計とする。
【０１１６】
第３に、動画データの１回の読み出し量の最小値および最大値が決まっている点である。
【０１１７】
第４に、裏音声用データの１回の読み出し量も別の最小値および最大値が決まっている点である。
【０１１８】
図２７は、本実施の形態５におけるアフレコ再生時のピックアップの移動経路を示す図である。図２７において、読み込み番号（＃に続く番号）の順に動画データまたは裏音声ファイルの読み込みを実施する。
【０１１９】
図２８は、本実施の形態５における裏音声ファイルのデータ構造を示す図である。図２８において、Ａ＿ＴＳＰにより連続データ領域が構成される。また、連続データ領域上の特定のデータ範囲をひとつの読み込み範囲とする。
【０１２０】
図２９は、本実施の形態５における音声／映像情報記録再生装置におけるポストレコーディング再生時の動画バッファメモリおよび音声バッファメモリ内の符号量の遷移を示す図である。
【０１２１】
図３０は、ひとつの連続データ領域の読み出しデータサイズの例を示す図である。たとえば、先頭から２回、最小値で読み出し、次は最小値の１．５倍のデータサイズを読み出す場合を示す（図３０（ａ））。最後の１回のデータサイズが長くなっているのは、仮に読み出しを固定読み出し量（ＳＶ−ＣＤＡ）の４回に分けた場合、最後の４回目が最小値よりも小さくなってしまうためである。固定読み出し量を確保するためには、次の連続データ領域＃（ｍ＋１）の先頭データも読み出す必要ある（図３０（ｂ））。このとき、シーク動作が発生するので、ポストレコーディング再生時に映像が途切れてしまう。
【０１２２】
図３４は、ポストレコーディング再生実施時のデータ読み込み順序および読込みデータ量を示す図である。動画データの一回の読み込み量は動画用の最小連続記録長以上でかつ最小連続記録長の２倍未満であって良い。また、同様に音声データの一回の読み込み量も音声用の最小連続記録長以上でかつ最小連続記録長の２倍未満であって良い。
【０１２３】
図３６は連続データ領域の概念図である。最小の動画用連続データ領域は、最小の２倍の音声用連続データ領域を読み込むのにかかる時間と、２回分の最大シーク時間の合計時間分だけの映像データを含む。一方、最小の音声用連続データ領域は、最小の２倍の映像用連続データ領域を読み込むのにかかる時間と、２回分の最大シーク時間の合計時間分だけの音声データを含む。
【０１２４】
図４０は、ポストレコーディング再生時に参照することができるスケジューリング情報を示す図である。
【０１２５】
図２９において、動画用連続データ領域の最小値（ＳＶ−ＣＤＡ）、および音声用連続データ領域の最小値（ＳＡ−ＣＤＡ）は、
（Ｖｒ−Ｖｏｕｔ）ｔＶ−ＣＤＡ＝２Ｖｏｕｔ×（２ｔｓｅｅｋ＋ｔＡ−ＣＤＡ）…（式１３）
（Ａｒ−Ａｏｕｔ）ｔＡ−ＣＤＡ＝２Ａｏｕｔ×ｔＡｏｕｔ          …（式１４）
ｔＡｏｕｔ＝ｔＶ−ＣＤＡ＋２ｔｓｅｅｋ                                  …（式１５）
という関係式から、ｔＡ−ＣＤＡは以下の（式１６）で表される。
【０１２６】
ｔＡ−ＣＤＡ＝（４ｔｓｅｅｋ×Ａｏｕｔ（Ｖｒ＋Ｖｏｕｔ））／（（Ｖｒ−Ｖｏｕｔ）（Ａｒ−Ａｏｕｔ）−４Ａｏｕｔ×Ｖｏｕｔ）…（式１６）
また、
ＳＶ−ＣＤＡ＝Ｖｒ×ｔＶ−ＣＤＡ／２                            …（式１７）
ＳＡ−ＣＤＡ＝Ａｒ×ｔＡ−ＣＤＡ／２                            …（式１８）
となる。ここで、映像用連続データ領域のデータサイズはＳＶ−ＣＤＡ以上の任意の値であるものとする。また、裏音声用連続データ領域のデータサイズはＳＡ−ＣＤＡ以上の任意の値とする。
【０１２７】
ポストレコーディング再生時は、裏音声ファイルと動画ファイルを交互に読み出す。このとき一度に読み出す量の最小値は、裏音声ファイルであれば、最小でＳＡ−ＣＤＡ分、最大でこの２倍とする。動画ファイルであれば、最小でＳＶ−ＣＤＡ分、最大でこの２倍とする。
【０１２８】
以上の構成により、ポストレコーディング記録およびポストレコーディング再生を実現するための連続データ領域のデータサイズの最小値（ＳＶ−ＣＤＡ）を実施の形態１に比べて２／３にすることができる。これにより、例えばＳＭＩＬ等のプレイリストにより順番が決められた場合であっても、ＩＮ点からＯＵＴ点までの時間間隔を減らすことができる。
【０１２９】
なお、本実施の形態５では、動画ファイルの連続データ領域のデータサイズは所定のサイズ以上であるものとしたが、動画ファイルの先頭および末尾の連続データ領域のデータサイズはこの限りではない。というのは、例えば、動画ファイルの先頭部分を削除する場合は、残りの連続データ領域のデータサイズが所定のデータサイズよりも小さくなる場合があるからである。所定の連続データ領域のデータサイズが短い場合でも、再生開始時の事前のデータ読み込みを多めにすることにより、ひとつの動画ファイルの連続再生には影響しない。
【０１３０】
なお、本実施の形態５では、データの読み出し方の例を図３０に示したが、できるだけ即座に映像バッファの符号量を満杯にしつつ、音声データが不足する直前に音声データを読込むような読み出し方であっても良い。ただし、この場合であっても、音声データに対しては図３０と同様の読み出し方が実施される。
【０１３１】
なお、本実施の形態５の様に、図３０のような読み出し方をポストレコーディング再生時に実施するのではなく、図３９に示すように、データサイズを３回の各読み出しにおいて均等となる様な読み出し方をしても良い。この方法により、ポストレコーディング再生時により少量のバッファメモリで済む様になる。さらに、ポストレコーディング時に毎回できるだけ均等となるような読み込みデータサイズと、そのデータサイズの先頭データのアドレス情報をディスク上に記録しておいても良い。図４０にディスク中に記録されるアフレコ再生のためのこの様なスケジューリング情報の例を示す。このスケジューリング情報には、裏音声データおよび動画データそれぞれに対して、１回で連続して読み出す量を含む。図４０の例では、裏音声データは固定データサイズＳＡ−ＣＤＡづつ毎回読み出し、動画データはＳＶ−ＣＤＡの１．１７倍づつデータを読み込む。すなわち、動画データと裏音声データを交互に読み込んでシームレスなポストレコーディング再生を実現する際の読込みデータサイズを保持していることになる。図４０では、動画ファイルまたは裏音声ファイルの読み出し開始点のアドレスも記録されている。このアドレスはファイルの先頭からのオフセット値が記録されている。この様なデータ読み出しのスケジューリングに関する情報を、ポストレコーディング再生の内容を指示するファイル（たとえばプレイリスト）毎に関連付けて記録する。これにより、容易に映像バッファの使用率を下げることができる。このことは映像バッファを振動吸収のためのデータ蓄積の用途に使える機会が増えるので、耐震性が向上する。また、ポストレコーディング再生時に読み込みデータ量を毎回算出したりする必要が無い。もしくは、ポストレコーディング再生時に毎回映像バッファ、もしくは音声バッファの残量を監視してデータ読み出しタイミングを調整する必要が無い。この様なスケジューリング情報を記録再生装置は、ポストレコーディング記録による裏音声データが完了した後で記録しても良いし、記録中に作成しても良い。
【０１３２】
（実施の形態６）
本発明の実施の形態６が実施の形態１と異なるのは、２回分のシーク動作を想定している点にある。
【０１３３】
図３５は、動画データおよび音声データの読み出し順序および読み出しデータサイズを示す。音声データの読み出しデータ量は常に所定の値（連続データ領域の最小長）である。
【０１３４】
図３８は動画データおよび音声データの読み出しタイミングを示す。
【０１３５】
また、以下の（式１９）から（式２４）は本実施の形態に関する関係式である。
【０１３６】
（Ｖｒ−Ｖｏｕｔ）ｔＶ−ＣＤＡ＝Ｖｏｕｔ×（２ｔｓｅｅｋ＋ｔＡ−ＣＤＡ）…（式１９）
（Ａｒ−Ａｏｕｔ）ｔＡ−ＣＤＡ＝Ａｏｕｔ×ｔＡｏｕｔ            …（式２０）
ｔＡｏｕｔ＝ｔＶ−ＣＤＡ＋２ｔｓｅｅｋ                              …（式２１）
ＳＶ−ＣＤＡ＝Ｖｒ×ｔＶ−ＣＤＡ                                …（式２２）
ＳＡ−ＣＤＡ＝Ａｒ×ｔＡ−ＣＤＡ                                …（式２３）
ｔＡ−ＣＤＡ＝（２ｔｓｅｅｋ×Ａｏｕｔ）／（Ｖｒ−Ｖｏｕｔ−Ａｏｕｔ）…（式２４）
以上の構成により、ポストレコーディング記録／再生を実施できる。本実施形態の特徴は、動画ファイルの連続データ領域のデータサイズが実施の形態１や５の場合と比べて小さくて済むことである。そのかわり、動画ファイルと裏音声ファイルを記録した後で、編集のため動画ファイルの途中部分を削除する場合、ポスレコーディング再生時に映像がフリーズしやすくなる。または、音声データが欠落する。
【０１３７】
なお、各実施の形態において、記憶媒体は相変化光ディスクであるものとしたが、特にこれに限定するものではなく、例えばＤＶＤ−ＲＡＭ、ＭＯ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であれば何でも良い。また、フラッシュメモリ等の半導体メモリであっても良い。
【０１３８】
同様に、各実施の形態において、読み書きヘッドはピックアップとしているが、ＭＯの場合はピックアップ及び磁気ヘッドとなり、またハードディスクの場合は磁気ヘッドとなる。
【０１３９】
また、各実施の形態において、トランスポートストリームは、ＭＰＥＧを用いたデジタル放送規格に準拠した形式で合っても良い。例えば、日本のＢＳデジタル放送規格に準拠したトランスポートストリーム、米国のＡＴＳＣ規格に準拠したトランスポートストリーム、および欧州のＤＶＢ規格に準拠したトランスポートストリームであっても良い。
【０１４０】
また、各実施の形態において、動画ファイルおよび音声ファイルはトランスポートストリームからなるものとしてが、プログラムストリームやＰＥＳストリーム等の他のマルチメディア情報を含むビットストリームであっても良い。
【０１４１】
また、各実施の形態において、ポストレコーディング再生時に、音声ファイルのみを読み込むものとしたが、音声ファイルの他に静止画ファイルも読み込むようにしても良い。このとき、音声ファイルと静止画ファイルをできるだけ集合させて記録し、シーク動作直後に、毎回音声ファイルの一部分および必要な静止画ファイルの一部分をまとめて読み出せるように物理的に交互に記録すると良い。
【０１４２】
また、各実施の形態において、論理ブロックは３２ｋｂｙｔｅ、セクタは２ｋｂｙｔｅとしたが、論理ブロックサイズがセクタサイズの整数倍であれば、例えば、論理ブロックが１６ｋｂｙｔｅ、セクタは２ｋｂｙｔｅであっても良い。また、論理ブロック、セクタが共に２ｋｂｙｔｅであっても良い。
【０１４３】
また、各実施の形態において、映像圧縮符号および音声圧縮符号はそれぞれＭＰＥＧ２映像圧縮符号およびＡＡＣ圧縮符号であるものとしたが、ＭＰＥＧ１映像圧縮符号またはＭＰＥＧ４映像圧縮符号等や、ＭＰＥＧ−Ａｕｄｉｏ圧縮符号、Ｄｏｌｂｙ  ＡＣ３圧縮符号、またはＴｗｉｎ−ＶＱ圧縮符号等であっても良い。
【０１４４】
また、各実施の形態において、動画ファイルと裏音声ファイルは同一の光ディスク上に記録するものとしたが、異なった記録媒体上に記録しても良い。例えば、動画ファイルを光ディスク上に、裏音声ファイルをフラッシュメモリカード上に記録し、合成ファイルを光ディスク上に記録する様にしても良い。この場合、ピックアップの移動機会が減るので、ポストレコーディング記録やポストレコーディング再生の実現が著しく容易になる。
【０１４５】
また、各実施の形態において、ファイルはＵＤＦファイルシステムで管理したが、ＦＡＴ（ファイル・アロケーション・テーブル）やその他の独自ファイルシステムで管理されても良い。
【０１４６】
また、各実施の形態において、動画ファイルと裏音声ファイルの他に動画ファイルと裏音声ファイルを関連付けるファイルとして第３のファイルを記録しても良い。この第３のファイルは、Ｗ３Ｃで規格化進展中のＳＭＩＬ（ＳｙｎｃｈｒｏｎｉｚｅｄＭｕｌｔｉｍｅｄｉａ  Ｉｎｔｅｇｒａｔｉｏｎ  Ｌａｎｇｕａｇｅ）言語で、動画ファイルと裏音声ファイルの同時再生（並列再生）タイミングを記述しても良い。これにより、動画ファイルと裏音声ファイルの関係を再生タイミング等の観点でに明確に記述できる。例えば、映像ファイルの先頭からの経過時間および音声ファイルの先頭からの経過時間を指定することにより、同時再生の開始個所を指定することができる。また、ＳＭＩＬ言語を使用することにより、動画ファイル、裏音声ファイル、および第３のファイルをパソコンへ移動した場合でも、パソコン上のアプリケーションソフトのＳＭＩＬプレーヤー等で再生可能になる。
【０１４７】
また、各実施の形態において、動画ファイルの一部分に対してポストレコーディング記録を行って裏音声ファイルを記録する場合、ポストレコーディング記録開始タイミングの時間情報を裏音声ファイル、前記の第３のファイル内、もしくは別の第４のファイルに記録しておく必要がある。
【０１４８】
また、各実施の形態において、裏音声ファイルには動画に対する裏音声を記録するものとしたが、動画とはタイミングが直接的には無関係な音楽（ＢＧＭ等）を記録し、ポストレコーディング再生と同じ方法で再生しても良い。
【０１４９】
また、各実施の形態において、ピックアップの最大移動時間は、読み込み時と書き込み時とで同じであるものとしたが、異なっていても良い。ただし、この場合、ピックアップの最大移動時間として適切な方もしくは大きい方を選択して、連続データ領域のデータサイズ（式６、式７）や、映像更新時間（式９）を求める必要がある。
【０１５０】
【発明の効果】
以上説明したように、本発明によれば、光ディスク上でポストレコーディング機能を容易に実現できると同時に、音声ファイルの結合や分割等の編集を容易に実現できる音声／映像情報記録再生装置を提供することが可能になる。
【図面の簡単な説明】
【図１】本発明の実施の形態１に係る音声／映像情報記録再生装置の機能構成を示すブロック図
【図２】本発明の実施の形態１に係る音声／映像情報記録再生装置のポストレコーディングモード記録の際に関係するブロック図
【図３】本発明の実施の形態１に係る音声／映像情報記録再生装置のポストレコーディング記録の際に関係するブロック図
【図４】本発明の実施の形態１に係る音声／映像情報記録再生装置のポストレコーディング再生の際に関係するブロック図
【図５】本発明の実施の形態１に係る音声／映像情報記録再生装置におけるポストレコーディングモード記録時の動画ファイルの記録形態を示す図
【図６】本発明の実施の形態１に係る音声／映像情報記録再生装置におけるポストレコーディング記録時の裏音声ファイルの記録形態を示す図
【図７】本発明の実施の形態１に係る音声／映像情報記録再生装置のポストレコーディング記録時の動作モデルを示す図
【図８】本発明の実施の形態１に係る音声／映像情報記録再生装置におけるポストレコーディング記録時の動画バッファメモリおよび音声バッファメモリ内の符号量の遷移を示す図
【図９】本発明の実施の形態１に係る音声／映像情報記録再生装置のポストレコーディング再生時の動作モデルを示す図
【図１０】本発明の実施の形態１に係る音声／映像情報記録再生装置におけるポストレコーディング再生時の動画バッファメモリおよび音声バッファメモリ内の符号量の遷移を示す図
【図１１】本発明の実施の形態２に係る音声／映像情報記録再生装置の機能構成を示すブロック図
【図１２】本発明の実施の形態２に係る音声／映像情報記録再生装置のポストレコーディング記録の際に関係するブロックを示す図
【図１３】本発明の実施の形態２に係る音声／映像情報記録再生装置のポストレコーディング再生の際に関係するブロックを示す図
【図１４】本発明の実施の形態３に係る音声／映像情報記録再生装置の機能構成を示すブロック図
【図１５】本発明の実施の形態３に係る音声／映像情報記録再生装置のポストレコーディング再生の際に関係するブロックを示す図
【図１６】従来の音声／映像情報記録再生装置の機能構成を示すブロック図
【図１７】従来の音声／映像情報記録再生装置におけるポストレコーディングモード記録時の動画ファイルの記録形態を示す図
【図１８】従来の音声／映像情報記録再生装置におけるポストレコーディングモード記録時の動画ファイルのトランスポートストリームの構造図
【図１９】動画ファイルがＵＤＦファイルシステムによって管理されている状態を示す図
【図２０】ＵＤＦファイルシステムのアロケーション・ディスクリプタのデータ構造を示す図
【図２１】従来の音声／映像情報記録再生装置におけるファイル再生時の動作モデルを示す図
【図２２】従来の音声／映像情報記録再生装置におけるポストレコーディング再生時の動画バッファメモリおよび音声バッファメモリ内の符号量の遷移を示す図
【図２３】本発明の実施の形態４に係る音声／映像情報記録再生装置におけるポストレコーディング再生時の動画バッファメモリおよび音声バッファメモリ内の符号量の遷移を示す図
【図２４】本発明の実施の形態１に係る、動画用連続データ領域が長めに確保された場合の音声／映像情報記録再生装置におけるポストレコーディング再生時の動画バッファメモリおよび音声バッファメモリ内の符号量の遷移を示す図
【図２５】本発明の実施の形態１に係る音声／映像情報記録再生装置における裏音声ファイルのトランスポートストリームの変形例を示すデータ構造図
【図２６】本発明の実施の形態１に係る音声／映像情報記録再生装置における映像ファイルおよび裏音声ファイルの連続データ領域相互間の関係を示す図
【図２７】本発明の実施の形態５におけるアフレコ再生時のピックアップの移動経路を示す図
【図２８】本発明の実施の形態５における裏音声ファイルのデータ構造を示す図
【図２９】本発明の実施の形態５に係る音声／映像情報記録再生装置におけるポストレコーディング再生時の動画バッファメモリおよび音声バッファメモリ内の符号量の遷移を示す図
【図３０】ひとつの連続データ領域の読み出しデータサイズの例を示す図
【図３１】本発明の実施の形態１に係る音声／映像情報記録再生装置における映像ファイルおよび裏音声ファイルの連続データ領域内での物理配置を示す図
【図３２】本発明の実施の形態１に係る音声／映像情報記録再生装置におけるポストレコーディング再生時の動画バッファメモリおよび音声バッファメモリ内の符号量の遷移を示す図
【図３３】本発明の実施の形態１に係る音声／映像情報記録再生装置におけるポストレコーディング再生時の別のデータ読み込みタイミングを示す図
【図３４】本発明の実施の形態５に係る音声／映像情報記録再生装置におけるポストレコーディング再生時のデータ読み込みタイミングを示す図
【図３５】本発明の実施の形態６に係る音声／映像情報記録再生装置におけるポストレコーディング再生時のデータ読み込みタイミングを示す図
【図３６】本発明の実施の形態５に係る音声／映像情報記録再生装置におけるポストレコーディング再生可能な連続データ領域のデータサイズを示す図
【図３７】本発明の実施の形態１に係る音声／映像情報記録再生装置におけるポストレコーディング再生可能な連続データ領域のデータサイズを示す図
【図３８】本発明の実施の形態１に係る音声／映像情報記録再生装置におけるポストレコーディング再生時の動画バッファメモリおよび音声バッファメモリ内の符号量の別の遷移を示す図
【図３９】本発明の実施の形態５に係る音声／映像情報記録再生装置におけるポストレコーディング再生時のひとつの連続データ領域の読み出しデータサイズの例を示す図
【図４０】本発明の実施の形態５の変形例におけるポストレコーディング再生時に参照することができるスケジューリング情報を示す図
【符号の説明】
１００  映像信号入力部
１０１  映像圧縮部
１０２  音声信号入力部
１０３  音声圧縮部
１０４  トランスポートストリーム組立部
１０５  ポストレコーディング用ダミーパケット発生部
１１０  映像表示部
１１１  映像伸長部
１１２  音声出力部
１１３  第１音声伸長部
１１４  第２音声伸長部
１６５  第１トランスポートストリーム分解部
１６６  第２トランスポートストリーム分解部
１２０  記録部
１２１  再生部
１３０  ピックアップ
１３１  相変化光ディスク
１４０  再生制御部
１４１  論理ブロック監理部
１６０  連続データ領域検出部
１６１  記録制御部
１６２  ポストレコーディング用記録制御部
１６３  ポストレコーディング用再生制御部
１６４  バッファメモリ
１８０  ポストレコーディングＭＩＸ制御部
【図１】
2004192661.tif 000003
【図２】
2004192661.tif 000004
【図３】
2004192661.tif 000005
【図４】
2004192661.tif 000006
【図５】
2004192661.tif 000007
【図６】
2004192661.tif 000008
【図７】
2004192661.tif 000009
【図８】
2004192661.tif 000010
【図９】
2004192661.tif 000011
【図１０】
2004192661.tif 000012
【図１１】
2004192661.tif 000013
【図１２】
2004192661.tif 000014
【図１３】
2004192661.tif 000015
【図１４】
2004192661.tif 000016
【図１５】
2004192661.tif 000017
【図１６】
2004192661.tif 000018
【図１７】
2004192661.tif 000019
【図１８】
2004192661.tif 000020
【図１９】
2004192661.tif 000021
【図２０】
2004192661.tif 000022
【図２１】
2004192661.tif 000023
【図２２】
2004192661.tif 000024
【図２３】
2004192661.tif 000025
【図２４】
2004192661.tif 000026
【図２５】
2004192661.tif 000027
【図２６】
2004192661.tif 000028
【図２７】
2004192661.tif 000029
【図２８】
2004192661.tif 000030
【図２９】
2004192661.tif 000031
【図３０】
2004192661.tif 000032
【図３１】
2004192661.tif 000033
【図３２】
2004192661.tif 000034
【図３３】
2004192661.tif 000035
【図３４】
2004192661.tif 000036
【図３５】
2004192661.tif 000037
【図３６】
2004192661.tif 000038
【図３７】
2004192661.tif 000039
【図３８】
2004192661.tif 000040
【図３９】
2004192661.tif 000041
【図４０】
2004192661.tif 000042